(57)【特許請求の範囲】
【請求項１】
アナログビデオ信号のビデオ信号記録装置への記録を制限するためのビデオ信号処理装置であって、
ビデオ信号源からのビデオ信号のカラーバースト信号の一部期間の位相を反転すると共に、カラーバースト信号期間が正規カラーバースト信号の期間より長い期間に設定された反転カラーバースト信号を生成する手段と、
上記ビデオ信号源からの上記ビデオ信号の中に、上記反転カラーバースト信号を含むラインを、１または複数ラインおきに配置する手段とを有し、
上記ビデオ信号記録装置が、上記反転カラーバースト信号を含むラインの配置された上記ビデオ信号を含む出力アナログビデオ信号を正常に記録できないようにしたことを特徴とするビデオ信号処理装置。
【請求項２】
アナログビデオ信号のビデオ信号記録装置への記録を制限するためのビデオ信号処理方法であって、
ビデオ信号源からのビデオ信号のカラーバースト信号の一部期間の位相が反転されると共に、カラーバースト信号期間が正規カラーバースト信号の期間より長い期間に設定された反転カラーバースト信号を生成するステップと、
上記ビデオ信号源からの上記ビデオ信号の中に、上記反転カラーバースト信号を含むラインを、１または複数ラインおきに配置するステップとを有し、
上記ビデオ信号記録装置が、上記反転カラーバースト信号を含むラインの配置された上記ビデオ信号を含む出力アナログビデオ信号を正常に記録できないようにしたことを特徴とするビデオ信号処理方法。
【発明の詳細な説明】
【０００１】
【発明の属する技術分野】
この発明は、ビデオディスク、ディジタルＶＣＲ、ディジタル放送の受信装置等からのアナログビデオ信号を記録するのに適用されるビデオ信号処理装置およびビデオ信号処理方法に関する。
【０００２】
【従来の技術】
ディジタル技術の発達に伴い、家庭においても高画質のビデオ信号源を容易に入手できるようになりつつある。例えばプリレコーディッドテープ（ソフトテープ）のみならず、ディジタル放送の端末、ＤＶＤ（ディジタルビデオディスク）等は、高画質のビデオ信号をユーザに提供する。ディジタルＶＣＲ（ビデオカセットテープレコーダ）も家庭用として除々に浸透しつつあるが、現状では、アナログＶＣＲが格段に普及している。上述したような高画質のビデオ信号の提供者としては、著作権保護の立場から、アナログＶＣＲによるコピーの制限に対して多大な関心を払わざるを得ない。
【０００３】
既に、アナログＶＣＲに対しては、幾つかのコピー制限の方法が考えられている。例えば、マクロビジョン社によるＡＧＣパルス方式やカラーストライプ方式が知られている。ＡＧＣパルス方式は、コピー禁止の場合では、ビデオ信号におけるＡＧＣ基準レベル検出区間に、通常のＡＧＣ基準レベルより大きなレベルのパルスを挿入し制限を行うものである。すなわち、ビデオ信号のＶ（垂直）ブランキング期間の一部に疑似ＳＹＮＣパルスが挿入される。これは例えば、図１３Ａに示されるように、ビデオ信号のＶブランキング期間の一部に疑似同期パルスが挿入される。図１３Ｂは、この疑似同期パルスが挿入された部分を拡大して示す。この疑似同期パルスは、水平同期パルスにレベルｐを加えたレベルで例えば５波挿入される。また、このレベルｐは、変化させられ挿入される。
【０００４】
アナログＶＣＲ（家庭用アナログＶＣＲ）では、図１３Ｃに示す、Ｖブランキング期間における１Ｈの水平同期パルスを利用してＡＧＣをかけるようにされた機種が多数存在する。そのため、このように、水平同期パルスよりも振幅の大きい疑似同期パルスが１Ｈに挿入されると、ＡＧＣ回路がこの疑似同期パルスの振幅を基準レベルと判断してＡＧＣがかけられる。その結果、ＡＧＣレベルがこの疑似同期パルスのレベルとして検出されるため、同期信号を振幅分離によって検出することができず、正常な再生が行えなくなる。一方、テレビジョンモニタは、ＡＧＣ方式が異なるので、正常に再生画像を表示することができる。
【０００５】
【発明が解決しようとする課題】
ところが、このＡＧＣパルス方式では、一部のビデオカセットレコーダに対して効果が無いという問題点があった。例えば、β方式のＶＣＲや８ｍｍＶＣＲ、およびＶＨＳ方式でも、ＡＧＣ時定数が長いものなどには効果がなかった。
【０００６】
そこで、他のコピー制限の方法として、以下に説明するカラーストライプ方式が提案されている。このカラーストライプ方式とは、再生ビデオ信号に対して、例えば２１ライン毎に４ライン分、カラーバースト信号（以下、適宜バースト信号と称する）全体の位相を反転させる方法である。このようにバースト信号の位相を反転させられた再生ビデオ信号を別の家庭用アナログＶＣＲで録画すると、アナログＶＣＲのＡＰＣ（自動位相制御回路）がこの位相の反転したバースト信号を本来のバースト信号として使用してしまうため、そのラインの色が反転され記録／再生されてしまう。したがって、この録画されたビデオ信号を再生すると、図１４に示すように、色の反転した帯が２１ライン毎に画面に映出される。
【０００７】
一方、一般的なテレビジョン受像機においては、色信号復調のための搬送波を形成するＰＬＬ（ＡＰＣ）の時定数が長いため、高々４ラインにおいて連続してバースト信号が反転されても影響が出ない。しかしながら、機種によっては時定数の短いＰＬＬを用いている場合もあり、この場合には、色の反転した帯が画面に生じるという問題点があった。
【０００８】
さらに、本願出願人は、有効画面中の全ラインのバースト信号において、その一部の期間の位相を反転させるようにしたコピー制限方法を提案している。この方法は、上述したカラーストライプ方式において、表示画像の画質が劣化するようなテレビジョンモニタに対しても、そのような問題を生じない利点がある。
【０００９】
アナログ方式の家庭用ＶＣＲにおいては、３．５８ＭＨｚの周波数（ＮＴＳＣ方式の場合）を有する色副搬送波が低域変換され６００〜７００ＫＨｚの中の所定の中心周波数を有する低域変換色信号とされる。そして、この低域変換色信号と輝度信号とが周波数多重され磁気テープ上に記録される。このように、家庭用アナログＶＣＲにおいて色信号は、テレビジョン受像機などに比べ非常に狭く帯域制限され、磁気テープ上に記録される。
【００１０】
そのため、記録されたビデオ信号に含まれるバースト信号は、再生されると、帯域制限のために、記録前の原信号に比較して時間軸上でその前後に拡張される性質を有する。図１５は、原信号とＶＣＲによる再生後の信号におけるバースト信号を示す。図１５Ａに示す、水平同期信号ｈの後に配されるバースト信号の原信号ａが磁気テープに記録され再生されると、図１５Ｂに示すように、時間軸上においてバースト信号ａが前後に拡張されたバースト信号ａ’となる。
【００１１】
この性質を利用して、コピー防止を図るのがバースト信号の一部の位相を反転させる方式である。図１６は、この方式の適用例を示す。通常のラインにおいては、水平同期信号ｈの後ろに例えば１０波のバースト信号が配される（図１６Ａ）。それに対して、コピー防止のための画像妨害を生じさせるために、位相が反転された６波のバースト信号と７波の通常位相のバースト信号との計１３波の、反転バースト信号を含むバースト信号がコピー防止用信号として配されたラインが設けられる（図１６Ｂ）。これらのラインは、画面上において、例えば１７ラインの通常ラインおよび４ラインの反転バースト信号を含むラインとが都合２１ライン周期で繰り返される（図１６Ｃ）。
【００１２】
このように、反転バースト信号を含むラインが配されたビデオ信号は、例えばＶＣＲで再生された場合、ＶＣＲの色同期回路においてＰＬＬが追従できなくなり、画像の劣化を引き起こし、これによりコピーを防止することができる。勿論、このビデオ信号を別のＶＣＲにより記録／再生した場合にも正常な画像が得られない。また、この反転バースト信号を含むビデオ信号は、テレビジョンモニタにおいては略正規のバースト信号として検出され使用される。そのため、このビデオ信号は、テレビジョンモニタにおいては、略正常な画面として映出される。
【００１３】
しかしながら、この方式は、ＶＣＲの色信号の周波数帯域が狭いことを利用しているので、色信号の帯域が広い、例えばＳ−ＶＨＳといったアナログＶＣＲに対してはコピー防止効果が不十分であるといった問題点があった。
【００１４】
この対策として、コピー防止効果を増大させるために、反転バースト信号の波数を増大させる方法が考えられる。例えば図１７に示されるように、１０波の反転バースト信号と３波の通常位相バースト信号との計１３波でコピー防止用信号を形成することが考えられる。この方法では、色信号の帯域の広いＶＣＲでもコピー防止効果を生じさせることができるが、一部のテレビジョンモニタに対して、著しい画像妨害を与えてしまうという問題点があった。例えば、色の反転は生じないが、水平ライン方向において縞状に濃度の異なる妨害や、画面全体の色の濃さが変化するといった画像妨害が現れることがあった。
【００１５】
従って、この発明の目的は、テレビジョンモニタによる表示に対して妨害が少なく、且つコピー防止効果を確実とすることが可能な記録制限を行うようにしたビデオ信号処理装置およびビデオ信号処理方法を提供することにある。
【００１６】
【課題を解決するための手段】
この発明は、上述した課題を解決するために、アナログビデオ信号のビデオ信号記録装置への記録を制限するためのビデオ信号処理装置であって、
ビデオ信号源からのビデオ信号のカラーバースト信号の一部期間の位相を反転すると共に、カラーバースト信号期間が正規カラーバースト信号の期間より長い期間に設定された反転カラーバースト信号を生成する手段と、
ビデオ信号源からのビデオ信号の中に、反転カラーバースト信号を含むラインを、１または複数ラインおきに配置する手段とを有し、
ビデオ信号記録装置が、反転カラーバースト信号を含むラインの配置されたビデオ信号を含む出力アナログビデオ信号を正常に記録できないようにしたことを特徴とするビデオ信号処理装置である。
【００１７】
また、この発明は、アナログビデオ信号のビデオ信号記録装置への記録を制限するためのビデオ信号処理方法であって、
ビデオ信号源からのビデオ信号のカラーバースト信号の一部期間の位相が反転されると共に、カラーバースト信号期間が正規カラーバースト信号の期間より長い期間に設定された反転カラーバースト信号を生成するステップと、
ビデオ信号源からのビデオ信号の中に、反転カラーバースト信号を含むラインを、１または複数ラインおきに配置するステップとを有し、
ビデオ信号記録装置が、反転カラーバースト信号を含むラインの配置されたビデオ信号を含む出力アナログビデオ信号を正常に記録できないようにしたことを特徴とするビデオ信号処理方法である。
【００１８】
再生ビデオ信号に対して、バースト信号の位相を一部反転させたラインが１または複数ラインおきに配置されている。この位相が一部反転されたバースト信号によって画像妨害を引き起しコピー防止とすることができる。また、この信号は、１または複数ラインおきに配置されているために、テレビジョンモニタでは画像妨害を生じず、ビデオテープに記録された信号を再生した際にのみ画像妨害を生じさせることができる。
【００１９】
【発明の実施の形態】
以下、この発明の実施の一形態について説明する。この発明の理解を容易とするために、コピー制限の適用例について図１を参照して説明する。図１は、ディジタルＶＣＲ２で再生されたアナログビデオ信号をアナログＶＣＲ１により録画する例である。ディジタルＶＣＲ２により再生されるカセットテープが例えばプリレコーディッドテープであって、テープ中に記録されているコピー世代の制限に関する制御情報（ＣＧＭＳ(Copy Generation Management System) と称する）がコピー禁止を指示する場合では、アナログＶＣＲ１による録画を禁止する必要がある。
【００２０】
図１Ｂは、ＤＶＤプレーヤ３からの再生アナログビデオ信号をアナログＶＣＲ１により録画する例である。この場合でも、ＤＶＤに記録されているＣＧＭＳによりコピー禁止が指示される場合では、アナログＶＣＲ１による録画が禁止される必要がある。さらに、図１Ｃは、ディジタル放送を受信するためのＩＲＤ(Integrated Receiver Decoder) （あるいはセットトップボックス）４により受信したプログラムをディジタルＶＣＲ５により録画し、この記録した内容をアナログＶＣＲ１により録画する例である。一般的に、ディジタル放送のプログラムをディジタル信号あるいはアナログ信号としてディジタルＶＣＲ５が１回は記録することが許容されることが多い。しかしながら、その記録した内容をアナログＶＣＲ１によりコピーすることが制限される。勿論、ＩＲＤ４からアナログＶＣＲ１へのビデオ信号のコピーを禁止する場合もある。
【００２１】
この発明は、図１に例示したような場合に、アナログＶＣＲ１によるコピーを禁止し、且つディジタルＶＣＲ２、ＤＶＤプレーヤ３、ディジタルＶＣＲ５からのアナログビデオ信号をモニタ装置により支障なく表示することを可能とするものである。図１Ｂの例のように、ＤＶＤプレーヤ３により再生されたアナログビデオ信号を出力する場合に対して適用したこの発明の一実施例を図２に示す。
【００２２】
ＭＰＥＧ等により圧縮符号化されたディジタル信号がＤＶＤ６から光ピックアップ７により読み取られる。光ピックアップ７の再生信号がプリアンプ、波形整形、復号回路８を介してエラー処理回路９に供給される。エラー処理回路９では、エラー訂正符号の復号がなされ、エラーが訂正される。エラー処理回路９の出力がディマルチプレクサ１０に供給される。ディマルチプレクサ１０は、再生信号からビデオデータ、オーディオデータ、制御用のディジタルデータをそれぞれ分離する。
【００２３】
ビデオデータは、ビデオデコーダ１１に供給される。ビデオデコーダ１１は、圧縮符号化のデコード、アナログビデオ信号への変換等の処理を行い、アナログビデオ信号を出力部１４に供給する。この出力部１４は、この発明が適用されたもので、その詳細については、後述する。出力端子１６には、出力部１４からコピー防止用信号が選択的に付加されたアナログビデオ信号が出力される。オーディオデータは、オーディオデコーダ１２において、圧縮符号化のデコード、アナログオーディオ信号への変換等の処理を受け、出力端子１７にアナログオーディオ信号が得られる。ディジタルデータデコーダ１３は、ＤＶＤ６に記録されている制御用ディジタルデータを分離し、復号する。この制御用ディジタルデータの中にＣＧＭＳが含まれており、このＣＧＭＳに基づいて、コピーコントロール信号が形成される。コピーコントロール信号が出力部１４に与えられる。この出力部１４は、ＤＶＤプレーヤ内部に設けられる。
【００２４】
出力部１４の一例の構成を図３に示す。ビデオデコーダ１１からの再生ビデオ信号は、例えばアナログコンポーネント信号として出力部１４に供給される。２１、２２、２３でそれぞれ示す入力端子に対して、輝度信号（同期信号を含む）Ｙ、色差信号Ｒ−Ｙ、Ｂ−Ｙがそれぞれ供給される。輝度信号Ｙが加算器２４を経て出力端子１６Ｙに取り出される。色差信号がカラーエンコーダ２５に供給され、カラーエンコーダ２５により直交２相変調された搬送色信号（バースト信号を含む）が形成される。カラーエンコーダ２５からの搬送色信号がスイッチャ２６の一方の入力端子ａに供給される。スイッチャ２６は、バースト信号のすげ替えのために設けられている。スイッチャ２６の出力が出力端子１６Ｃに取り出される。
【００２５】
この発明の一実施例では、コピー防止の効果をより確実とするために、バースト信号の前にバースト信号に対して位相を反転させた信号を挿入したバースト信号と、バースト信号の振幅を通常のものより大きくしたバースト補正信号とをバースト信号に代えて挿入する方式が用いられる。これらコピー防止用信号およびバースト補正信号は、正規のバースト信号と同様のタイミングで以て挿入される。さらに、この発明の一実施例においては、上述のＡＧＣパルス方式も併用される。
【００２６】
加算器２４では、ＡＧＣパルス発生器２８からのＡＧＣパルスが供給され、このＡＧＣパルスが輝度信号Ｙに対して付加される。ＡＧＣパルスとして、正規のレベルのものと、コピー禁止のための大レベルのものとの一方をＡＧＣパルス発生器２８が発生する。その選択は、データデコーダ１３（図２参照）から入力端子３６に供給されるコピーコントロール信号によりなされる。
【００２７】
スイッチャ２６の入力端子ｂに対して供給されるバースト信号は、スイッチャ２７から出力される。スイッチャ２６は、タイミングコントローラ３５の出力により制御される。すなわち、コピーコントロール信号によってコピーの許可が指示される場合では、入力端子ａが常に選択され、バースト信号のすげ替えがなされない。一方、コピーコントロール信号によってコピーの禁止が指示される場合では、バースト信号の期間よりやや広い期間で入力端子ｂが選択され、バースト信号のすげ替えがなされる。従って、出力端子１６Ｙ、１６Ｃに取り出されたビデオ信号をアナログＶＣＲによって録画する場合に、録画を禁止することができる。このようにコピーの許可／禁止に対応してスイッチャ２６の制御の態様が異なるので、タイミングコントローラ３５には、同期分離回路３４で分離された同期信号と入力端子３６からのコピーコントロール信号が供給される。
【００２８】
スイッチャ２７の入力端子ｄには、信号発生器３１で生成された正規のバースト信号ＳＢ１が供給される。スイッチャ２７の入力端子ｃには、信号発生器３２で生成された、反転バースト信号を含むバースト信号ＳＢ２が供給される。また、スイッチャ２７の入力端子ｅには、信号発生器３３で生成された、バースト補正信号ＳＢ３が供給される。
【００２９】
図４は、これら信号ＳＢ１，ＳＢ２，およびＳＢ３の波形の一例を示す。図４Ａは、正規のバースト信号ＳＢ１の例を示す。この例では、信号ＳＢ１は、１０波から成る。図４Ｂに示される反転バースト信号を含むバースト信号ＳＢ２において、信号ＳＢ１の１０波に対して、前に３波付け加えられ、付け加えられたこの３波を含む前半の１０波が正規のバースト信号に対して位相が反転させられている。図４Ｃに示されるバースト補正信号は、図４Ａに示される信号ＳＢ１に対して、振幅が異ならされている。この例では、振幅が信号ＳＢ１に対して５ｄＢ大きくされている。
【００３０】
なお、図示が省略されているが、信号発生器３１で発生する正規の周波数のバースト信号ＳＢ１は、正規のバースト信号と同様に、カラーエンコーダ２５において使用されるカラーサブキャリア信号と一定の位相関係を有する。そこで、信号発生器３１を設けずに、反転バースト信号を含むバースト信号ＳＢ２，バースト補正信号ＳＢ３を付加するラインのみでバースト信号をすげ替えるようにしても良い。また、図３の構成では、輝度信号Ｙが同期信号を含み、カラーエンコーダ２５がバースト信号を発生するものとしているが、同期信号およびバースト信号を発生する回路を設け、発生した同期信号およびバースト信号を輝度信号および搬送色信号に対してそれぞれ付加するようにしても良い。
【００３１】
図５は、この発明における、反転バースト信号を含むラインおよびバースト補正信号が配されたラインの配置の一例を示す。この例においては、ビデオ信号の水平５ラインを単位として配置が行われ、この５ラインをコピー防止用信号のマクロブロック（最小構成単位）としている。この５ラインのうち、最初のライン（〔５ｎ＋０〕ライン）および〔５ｎ＋２〕ラインにバースト補正信号が付加されたラインが配される。〔５ｎ＋１〕ラインおよび〔５ｎ＋３〕ラインに反転バースト信号を含むラインが配される。また、〔５ｎ＋４〕ラインに正規のバースト信号が付加されたラインが配される。
【００３２】
このように、この実施の一形態においては、反転バースト信号を含むラインとバースト補正信号が配されたラインとが交互に配置され、コピー防止用信号のマクロブロックとされる。また、この例では、複数の、例えば８マクロブロックによってコピー防止用信号のブロックが形成される。
【００３３】
このようなマクロブロックで以て反転バースト信号を含むラインとバースト補正信号が配されたラインとが配置された場合の、テレビジョンモニタおよびＶＣＲに対する影響について説明する。図６は、テレビジョンモニタにおいて色復調に用いられるＡＰＣ回路の構成の一例を示す。入力ビデオ信号（ここではクロマ信号が抽出され入力クロマ信号とされているとする）が色復調回路３０に供給されると共に、バースト抽出回路３１に供給される。このバースト抽出回路３１において入力クロマ信号から抽出されたバースト信号が位相検波回路３２に供給される。この例では、この位相検波回路３２は、信号の振幅方向の情報を検出可能な乗算器タイプが用いられている。
【００３４】
この位相検波回路３２には、ＶＸＯ（電圧制御発振回路）３４から基準サブキャリア信号も供給され、この基準サブキャリア信号とバースト信号とが位相比較され、バースト信号が位相検波される。位相検波回路３２で検波されたバースト信号がローパスフィルタ３３を介してＶＸＯ３４に供給され、このＶＸＯ３４において、バースト信号の位相に位相ロックされた基準サブキャリア信号が生成される。これら、位相検波回路３２，ローパスフィルタ３３，およびＶＸＯ３４によって、バースト信号に位相ロックするようなＰＬＬが構成される。こうしてＶＸＯ３４によって生成された基準サブキャリア信号が色復調回路３０に供給され、クロマ信号の色復調が行われる。
【００３５】
このテレビジョンモニタのＡＰＣの周波数応答特性は、図７の実線に示されるように、ローパスフィルタとしての特性、すなわち、積分特性を示す。ＶＣＲにおけるＡＰＣの特性も同様に積分特性を有するが、これは同図に破線で示されるように、テレビジョンモニタに対して帯域が広い。
【００３６】
バースト信号は、水平同期信号の周期で間欠的に到来する。上述のＡＰＣ回路においては、この間欠的に到来するバースト信号だけを抜き取って基準サブキャリアを生成する処理が行われる。図８は、この様子を模式的に示す。バースト信号のみを抜き取ってみた場合、反転バースト信号を含むラインと通常のラインとで繰り返し周波数が形成される。
【００３７】
先に提案されている参考例において説明したような、反転バースト信号を含むラインが４ライン連続して配置されるような方法では（図８Ａ）、反転バースト信号による、ライン単位での繰り返し周波数が例えば図７のｆ1 のように、テレビジョンモニタにおけるＡＰＣの周波数応答範囲内となってしまう。したがって、ＡＰＣが反転バースト信号の位相に引き込まれてしまい、画像に妨害が生じてしまう。
【００３８】
そこで、この発明に示されるように、１ライン間隔で間欠的に反転バースト信号を含むラインを配置することによって、図８Ｂに示されるように、反転バースト信号によるライン単位での繰り返し周波数を上げることができる。そのため、この繰り返し周波数は、例えば図７のｆ2 のように、テレビジョンモニタのＡＰＣの周波数応答範囲外であって、且つ、ＶＣＲのＡＰＣの周波数応答範囲内に存在させることができる。したがって、この方法によれば、テレビジョンモニタにおいては、ＰＬＬが反転バースト信号を引き込まないため画像妨害を生じないが、ＶＣＲにおいては、ＰＬＬが反転バースト信号に応答して色反転を生じ、反転バースト信号による画像妨害を生じさせることができる。
【００３９】
しかしながら、テレビジョンモニタによっては、ＰＬＬの周波数応答範囲が上述の想定よりも広く、１ライン間隔で間欠的に反転バースト信号を配置する方法でも画像妨害が生じてしまう場合がある。この場合には、例えば色反転が生じないまでも、色の濃さなどが変化してしまうといった妨害となって現れる。
【００４０】
この画像妨害を補正するために、この実施の一形態においては、上述のバースト補正信号が配されたラインがさらに配置される。このバースト補正信号による画像妨害の補正は、この例のように、ＡＰＣの位相検波回路３２がバースト信号の振幅方向の情報も検出可能な乗算器タイプである場合に有効とされる。上述したように、ＡＰＣの周波数特性が積分特性を有しているために、位相検波回路３２によって振幅方向の情報が検出されることで、バースト信号の波数と信号レベルとの変換が可能とされる。
【００４１】
この実施の一形態においては、コピー防止用信号のマクロブロックを構成するライン中、正規のバースト信号以外の信号でバースト信号が配されるラインは、反転バースト信号を含む２ラインおよびバースト補正信号を含む２ラインの計４ラインある。この４ラインにおいて、本来１０〔波〕×４〔ライン〕＝４０〔波〕のバースト信号が存在している。それに対して、このマクロ構造では、本来のバースト信号の位置に対して７〔波〕×２〔ライン〕＝１４〔波〕の反転バースト信号が存在し、正規の位相を有するバースト信号は、バースト補正信号を含め、２６波しか存在しないことになる。
【００４２】
したがって、反転バースト信号の１４波分をキャンセルして、正規の位相を有するバースト信号２６波のうち反転バースト信号が含まれない２ライン分の２０波を補正して４０波分の正規バースト信号の効果を出す。そのため、この２ラインにおいて、２０〔波〕×ｘ＋６〔波〕〜４０〔波〕を満たすようなｘに基づき正規バースト信号の振幅を増大させる。この例では、ｘを５ｄＢ分の増大を表す１．７８とすることによって、２０〔波〕×１．７８＋６〔波〕≒４１〔波〕となり、条件を満足する。すなわち、この２ラインにおいて正規バースト信号の振幅が＋５ｄＢとされ、バースト補正信号が形成される。
【００４３】
位相検波回路３２に信号の振幅方向の情報が検出されないものを使用した場合には、元々振幅成分が使われないためこの補正効果を得ることができない。しかしながら、このバースト補正信号によって妨害が生じることもない。すなわち、このバースト補正信号も正規のバースト信号と同一の位相を有しているため、本来のバースト信号と同様の役割を果たすことができる。
【００４４】
なお、上述では、コピー防止用信号のマクロブロックは、反転バースト信号を含むラインおよびバースト補正信号が配されたラインとが交互に２ラインずつ配置され、さらに正規のバースト信号が配されたラインが配置された５ラインの構成とされたが、これはこの例に限定されるものではない。すなわち、このマクロ構造は、反転バースト信号を含むラインが１ラインおきに間欠的に配置されるような構成とされていれば、他の構成でも良い。
【００４５】
例えば、バースト補正信号が配された１ラインおよび反転バースト信号を含む１ラインとの２ラインから成る１組をマクロ構造としてもよい。また、正規バースト信号が配された１ラインおよび反転バースト信号を含む１ラインとの２ラインから成る１組をマクロ構造としてもよい。さらに、上述の５ラインで構成されたマクロ構造において、バースト補正信号が配されたラインを正規バースト信号が配されたラインと置き換えるようにしてもよい。
【００４６】
このようなマクロブロック構造を有するコピー防止用信号が画面上に所定の方法で配置されることによって実際に画面に対して画像妨害を生じさせ、コピー防止効果を得ることができる。
【００４７】
図９は、このようなマクロブロックによるコピー防止用信号の配置方法の一例および他の例を示す。図９Ａは、コピー防止用信号のブロックとコピー防止用ブロックが含まれない正規のバースト信号を有するブロックとが交互に配置される例である。この例では、コピー防止用信号のブロックが８マクロブロック、すなわち４０ライン（図中の斜線で示された部分）から成り、このコピー防止用ブロックとコピー防止用信号が含まれない正規のバースト信号を有する４０ラインとが交互に配置される。勿論、この場合の４０ラインというライン数は、一例であり、この例に限定されるものではない。
【００４８】
また、図９Ｂは、画面の主要部分がコピー防止用ブロックで埋め尽くされた例である。このように、画面の主要部分に対して全体的にコピー防止用信号を配置することによって、若し、このコピー防止用信号によってテレビジョンモニタに対して色の濃さの変化などの画像妨害が生じる場合でも、この妨害を目立たなくさせることができる。
【００４９】
また、上述に示した例において、コピー防止用信号の配置は、連続したフィールドに対してなされる。また、これはこの例に限らず、数フィールド置きに間欠的にコピー防止用信号を配置するようにしてもよい。
【００５０】
上述の図９Ａに示される例において、コピー防止用信号のブロックは、フィールド毎に同一位置に配置すると、フリッカを低減することができる。また、コピー防止用信号のブロックと正規のバースト信号によるブロックとをフィールド毎に交互に配置するようにもできる。さらに、このコピー防止用信号のブロックを、フィールド毎に移動させるようにしてもよい。
【００５１】
ＤＶＤ６に記録されるディジタルビデオ信号と付随して、予め記録されているＣＧＭＳの一例を図１０Ａに示す。この図１０Ａに示すように、ＣＧＭＳは、下記のように定義される。
００：コピー可能
０１：未使用
１０：コピー１世代可能
１１：コピー不可
【００５２】
このＣＧＭＳにおけるコピーがディジタルコピー制限のみを規定する場合では、アナログコピーの可否を示すフラグ、すなわち、アナログコピー制限信号発生を指示するトリガービットを別に規定しても良い。図１０Ｂは、その一例であって、トリガービットが‘00'であれば、アナログコピー制限信号を発生しないことが指示され、このビットが‘01'であれば、アナログコピー制限信号のうちＡＧＣパルス方式によるＡＧＣ信号のみを発生することが指示される。また、このビットが‘11'であれば、ＡＧＣ信号とこの発明が適用された第１のコピー防止用信号とを発生することが指示される。この第１のコピー防止用信号は、例えば、上述の図５に示されるマクロブロックによって成るブロックが上述の図９Ａのように配置されたものである。ビット‘10'は、未使用としてもよいが、図１０Ｂに示されるように、ＡＧＣ信号と共に、上述の第１のコピー防止用信号と配列の異なる第２のコピー防止用信号とを発生するように指示することが可能である。この場合では、ＣＧＭＳおよびトリガービットの合計４ビットによって、アナログコピーの制限情報が構成される。
【００５３】
なお、この例では、ＡＧＣパルス方式によるコピー制限信号の発生と、この発明が適用されたコピー制限信号の発生とが１つのトリガービットによって制御されるが、これはこの例に限定されるものではない。すなわち、上述の図１に示されるデータデコーダ１３からそれぞれ対応するトリガービットを供給することによって、ＡＧＣパルス方式によるコピー制限信号の発生およびこの発明が適用されたコピー制限信号の発生とを、独立して制御するようにできる。
【００５４】
このようなコピー制限情報を記録媒体に実際に記録する形態としては、種々のものが可能である。ディジタルＶＣＲの場合では、図１１および図１２に示すデータ構成が採用されている。図１１は、ＶＡＵＸ（ビデオ補助データ）の構成を示し、（０１１００００１）（６１ｈ）（ｈは１６進表示を表す）のパックヘッダを持つパックである。
【００５５】
このパックには、ＰＣ１の上位２ビットとして、ＣＧＭＳが記録される。このＣＧＭＳの定義は、例えば図１０Ａに示すものと同一である。また、ＰＣ１中のコピーソースが下記のように規定される。
００：アナログ入力によるコピー
０１：ディジタル入力によるコピー
１０：予備
１１：情報なし
【００５６】
ＰＣ１中のコピー世代の定義を下記に示す。
００：第１世代
０１：第２世代
１０：第３世代
１１：第４世代
【００５７】
図１２は、ディジタルＶＣＲにおけるオーディオ信号に関する補助データ（ＡＡＵＸデータ）の一例を示す。このパックのヘッダは、（０１０１０００１）（５１ｈ）である。このパックＰＣ１には、ＶＡＵＸと同様の構成で、コピー世代制限に関する情報が記録される。なお、入力ビデオ信号に付随するＣＧＭＳが１世代コピー可能とされている場合に、この入力ビデオ信号を記録した場合には、テープ上のＣＧＭＳがコピー禁止へ書き換えられる。
【００５８】
この発明の一実施例におけるＤＶＤの場合は、図示しないが、記録データがセクタ等の区切りを有し、この区切りの先頭に同期信号およびヘッダが付加される。このヘッダ中にコピー制限のための情報を記録するようになされる。
【００５９】
なお、図３の構成では、信号発生器３１，３２，および３３を別々のブロックとして示したが、これはこの例に限定されるものではない。例えば、１つの信号発生器に対してアンプおよび位相遅延回路を接続し、これらアンプおよび位相遅延回路をタイミングコントローラ３５で制御するようにしてもよい。すなわち、信号発生器において正規のバースト信号を発生させ、反転バースト信号を付加する場合には、位相遅延回路を制御して所定の期間だけ位相を反転させ、また、バースト補正信号を配する際には、アンプを制御して正規のバースト信号を所定の増幅率で以て増幅する。さらに、この発明は、コンポーネント信号の形式ではなく、輝度信号と搬送色信号とが重畳されたコンポジット信号の形式に対して、コピー防止用信号を付加しても良い。
【００６０】
【発明の効果】
以上説明したように、この発明によれば、反転バースト信号を含むラインが間欠的に配置されるマクロブロックによってコピー防止用信号が形成されるため、ＡＰＣの周波数応答範囲が狭いテレビジョンモニタにおいては反転バースト信号が引き込まれず、周波数応答範囲が広いＶＣＲにおいては引き込まれるようにすることができる。そのため、ＶＣＲに対して画像妨害を生じさせ、テレビジョンモニタに対しては画像妨害を生じないようにできる効果がある。
【００６１】
また、この発明によれば、反転バースト信号を含むラインが画面に対して全面的に配置されるため、テレビジョンモニタに対する画像妨害を目立たなくすることができる効果がある。また、これにより、フリッカによる画像妨害を低減することができる効果がある。
【００６２】
また、この発明によれば、複数のマクロブロックによって形成されたコピー防止用信号のブロックがフィールド毎に同一位置に配置されるため、フリッカによる画像妨害を低減できる効果がある。
【図面の簡単な説明】
【図１】この発明を適用できるビデオ信号記録システムの幾つかの例を示すブロック図である。
【図２】ＤＶＤプレーヤの再生アナログ信号を記録する場合に対してこの発明を適用した一実施例のブロック図である。
【図３】この発明が適用された出力部のブロック図である。
【図４】コピー防止用信号の例を示す波形図である。
【図５】コピー防止用信号のマクロブロックの一例を示す略線図である。
【図６】ＡＰＣ回路の構成の一例を示すブロック図である。
【図７】ＡＰＣ回路を公営するＰＬＬの周波数応答特性の例を示す略線図である。
【図８】反転バースト信号による繰り返し周波数を説明するための略線図である。
【図９】コピー防止用信号のブロックが配置された画面構成の例を示す略線図である。
【図１０】ＣＧＭＳの一例およびコピー制限用信号の発生を指示するトリガービットの説明に用いる略線図である。
【図１１】ディジタルＶＣＲにおいて採用されているＣＧＭＳの記録方法の一例の説明に用いる略線図である。
【図１２】ディジタルＶＣＲにおいて採用されているＣＧＭＳの記録方法の一例の説明に用いる略線図である。
【図１３】ＡＧＣパルス方式を説明するための波形図である。再生後においてコピー防止用信号の幅が増えたことを示す波形図である。
【図１４】カラーストライプ方式を説明するための略線図である。
【図１５】原信号と再生後の信号におけるバースト信号をそれぞれ示す波形図である。
【図１６】先に提案されているコピー防止用信号の例を示す波形図である。
【図１７】先に提案されているコピー防止用信号の例を示す波形図である。
【符号の説明】
６・・・ＤＶＤ、１４・・・再生アナログビデオ信号を出力するための出力部、１６、１６Ｙ、１６Ｃ・・・出力端子、２４・・・加算器、２６、２７・・・スイッチャ、３１・・・正規のバースト信号を発生する信号発生器、３２・・・反転バースト信号を含むバースト信号を発生する信号発生器、３３・・・バースト補正信号を発生する信号発生器
【図１】
0003918774.tif 000002
【図２】
0003918774.tif 000003
【図３】
0003918774.tif 000004
【図４】
0003918774.tif 000005
【図５】
0003918774.tif 000006
【図６】
0003918774.tif 000007
【図７】
0003918774.tif 000008
【図８】
0003918774.tif 000009
【図９】
0003918774.tif 000010
【図１０】
0003918774.tif 000011
【図１１】
0003918774.tif 000012
【図１２】
0003918774.tif 000013
【図１３】
0003918774.tif 000014
【図１４】
0003918774.tif 000015
【図１５】
0003918774.tif 000016
【図１６】
0003918774.tif 000017
【図１７】
0003918774.tif 000018